(57)【要約】【課題】適度な自然加湿を行って、かつ、装飾体として美しく飾ることのできる加湿器を提供する。【解決手段】上方開口状の差込孔を有する水容器２と、吸水性不織布を複数回にわたって折畳んで構成され差込孔に挿入可能な断面放射形状の挿入脚部が形成された立体装飾エレメント１とを、備え、放射形状の貫通孔が形成されると共に差込孔に取着される保持蓋６を設け、使用状態に於て、保持蓋６の貫通孔に挿入脚部を挿入して立体装飾エレメント１の姿勢を保つように構成されている。【選択図】図１
2014081171.tif 000002
【特許請求の範囲】
【請求項１】
上方開口状の差込孔（４）を有する水容器（２）と、吸水性不織布を複数回にわたって折畳んで構成され上記差込孔（４）に挿入可能な断面放射形状の挿入脚部（３ａ）が形成された立体装飾エレメント（１）とを、備え、
放射形状の貫通孔（６ａ）が形成されると共に上記差込孔（４）に取着される保持蓋（６）を設け、使用状態に於て、該保持蓋（６）の上記貫通孔（６ａ）に上記挿入脚部（３ａ）を挿入して上記立体装飾エレメント（１）の姿勢を保つように構成されたことを特徴とする加湿器。
【請求項２】
上方開口状の差込孔（４）を有する水容器（２）と、複数枚の吸水性不織布を平面視格子状に組立てて構成され上記差込孔（４）に挿入可能な断面非円形状の挿入脚部（３ｂ）が形成された立体装飾エレメント（１）とを、備え、
非円形状の貫通孔（６ｂ）が形成されると共に上記差込孔（４）に取着される保持蓋（６）を設け、使用状態に於て、該保持蓋（６）の上記貫通孔（６ｂ）に上記挿入脚部（３ｂ）を挿入して上記立体装飾エレメント（１）の姿勢を保つように構成されたことを特徴とする加湿器。
【請求項３】
上記立体装飾エレメント（１）は、使用状態に於て、上下方向に連通する複数の空気流通路（７）が形成され、かつ、未使用状態では、断面略一文字状に重ねられるように構成されている請求項１又は２記載の加湿器。
【発明の詳細な説明】
【技術分野】
【０００１】
本発明は、自然気化式の加湿器に関する。
【背景技術】
【０００２】
従来、水を張った容器にシート状の加湿エレメントを立て、この加湿エレメントに水を含ませて蒸発させることにより室内を加湿する加湿器が提案されている（特許文献１参照）。
【先行技術文献】
【特許文献】
【０００３】
【特許文献１】特開２００４−２７１１５６号公報
【発明の概要】
【発明が解決しようとする課題】
【０００４】
しかし、従来の加湿器は、シート状加湿エレメントが平面的形状であったため、デザインのバリエーションに乏しく、インテリア製品として使用するには、装飾性が十分でなかった。また、加湿エレメントが全体に水を吸い上げると、水を含んだ端部が重くなり、しかも、加湿エレメントが湿って剛性が低下するため、加湿エレメントが自重に耐えられず姿勢を保持することができなくなって、折れ曲がって倒れてしまい、十分な加湿ができなくなるという欠点があった。
【０００５】
そこで、本発明は、適度な自然加湿を行って、かつ、装飾体として美しく飾ることのできる加湿器を提供することを目的とする。
【課題を解決するための手段】
【０００６】
本発明に係る加湿器は、上方開口状の差込孔を有する水容器と、吸水性不織布を複数回にわたって折畳んで構成され上記差込孔に挿入可能な断面放射形状の挿入脚部が形成された立体装飾エレメントとを、備え、放射形状の貫通孔が形成されると共に上記差込孔に取着される保持蓋を設け、使用状態に於て、該保持蓋の上記貫通孔に上記挿入脚部を挿入して上記立体装飾エレメントの姿勢を保つように構成されたものである。
【０００７】
また、上方開口状の差込孔を有する水容器と、複数枚の吸水性不織布を平面視格子状に組立てて構成され上記差込孔に挿入可能な断面非円形状の挿入脚部が形成された立体装飾エレメントとを、備え、非円形状の貫通孔が形成されると共に上記差込孔に取着される保持蓋を設け、使用状態に於て、該保持蓋の上記貫通孔に上記挿入脚部を挿入して上記立体装飾エレメントの姿勢を保つように構成されたものである。
また、上記立体装飾エレメントは、使用状態に於て、上下方向に連通する複数の空気流通路が形成され、かつ、未使用状態では、断面略一文字状に重ねられるように構成されているものである。
【発明の効果】
【０００８】
本発明の加湿器によれば、水容器に立体装飾エレメントを安定姿勢で立てて飾ることができる。立体装飾エレメントのデザインのバリエーションが多くなって外観上美しく飾ることができ、かつ、立体装飾エレメントの剛性が向上して確実に立姿勢を保つことができる。立体装飾エレメントが立体的姿勢を保ち、確実に空気に触れて水をよく蒸発させることができる。家庭やオフィスの景観を良くするインテリアとして使用することができ、部屋の湿度に応じて適度な加湿を行うことができる。しかも、水容器が不意に倒れてしまった場合であっても、水がこぼれにくい。
【図面の簡単な説明】
【０００９】
【図１】本発明の第１の実施形態を示した斜視図である。
【図２】本発明の第２の実施形態を示した斜視図である。
【図３】本発明の第３の実施形態を示した斜視図である。
【図４】図３の加湿器の使用状態を示す要部断面正面図である。
【図５】図３の加湿器の使用状態の平面図である。
【図６】図５の立体装飾エレメントの未使用状態の平面図である。
【図７】保持蓋の一例を示す平面図である。
【図８】他の保持蓋を示す平面図である。
【図９】別の保持蓋を示した平面図であり、（ａ）は貫通孔が長穴状である保持蓋、（ｂ）は貫通孔が八方放射形状である保持蓋、（ｃ）は貫通孔が井の字形状である保持蓋である。
【図１０】本発明の他の実施形態を示した斜視図である。
【図１１】図１０の加湿器の使用状態を示す要部拡大断面正面図である。
【図１２】図１１の保持蓋の平面図である。
【図１３】加湿器の変形例を示した要部拡大断面正面図である。
【図１４】さらに他の保持蓋を示す斜視図である。
【図１５】さらに別の保持蓋を示す断面図である。
【図１６】さらに別の保持蓋を示す斜視図である。
【発明を実施するための形態】
【００１０】
以下、実施の形態を示す図面に基づき本発明を詳説する。
図１と図２には、本発明の第１の実施形態・第２の実施形態を示している。本発明の加湿器は、水容器２と、吸水性不織布を複数回にわたって折畳んで構成された立体装飾エレメント１とを、備えている。
図４に示すように、水容器２は、上方開口状の差込孔４を有し、また、立体装飾エレメント１には、差込孔４に挿入可能な断面放射形状の挿入脚部３ａが形成されている。
本発明の加湿器は、水容器２の差込孔４に取着される保持蓋６が設けられ、この保持蓋６には、放射形状の貫通孔６ａ（図７参照）が形成されている。図１と図２に示す使用状態に於て、保持蓋６の貫通孔６ａに挿入脚部３ａを挿入して立体装飾エレメント１の姿勢を保つように構成されている。
【００１１】
図１では、立体装飾エレメント１は、吸水性不織布を打ち抜いて動物（図例では馬）を模した形状の複数のデザイン部Ｚが形成され、中央部（内周側）に谷折り部が集まるように上下方向の折れ線で折り曲げて丸めると、複数のデザイン部Ｚが全周に等間隔に配設され、メリーゴーランドのように形成される。以下、図１に示す加湿器を、メリーゴーランド型とする。
図２では、立体装飾エレメント１は、中央部（内周側）に谷折り部が集まるように上下方向の折れ線で折り曲げると炎を模した形状となる。図２の立体装飾エレメント１は、赤や青の彩色が付されているのが好ましい。以下、図２に示す加湿器を、フレイム型とする。
メリーゴーランド型、及び、フレイム型の加湿器に於て、立体装飾エレメント１は、全体が横断面放射形状に形成され、立体装飾エレメント１の下部に連設される挿入脚部３ａは断面放射形状として形成されている（図示省略）。立体装飾エレメント１は、挿入脚部３ａを水に浸けると、毛細管現象によって、水を吸い上げて全体に水を染み込ませるように構成されている。
【００１２】
図４に示すように、水容器２は、水Ｗを溜めるボトム部８と、ボトム部８の開口部に嵌め込んで取付けられると共に内側に差込孔４を有する円筒部９ａを上方に突設する上側部材９とを、有している。
保持蓋６は、貫通孔６ａが形成された円盤状本体部１５の外周端縁を円筒部９ａの上端に載せて、円盤状本体部１５の下方に突設した短筒部１６を円筒部９ａの上端開口部に浅く挿入して、着脱自在に取着されている。なお、保持蓋６は、短筒部１６が円筒部９ａの上端部を外嵌するように形成されていても良く、あるいは、短筒部１６が省略されていても良い。
【００１３】
図３は、本発明の第３の実施形態を示した図である。本発明の加湿器は、上方開口状の差込孔４を有する水容器２と、複数枚の吸水性不織布を平面視格子状に組立てて構成され差込孔４に挿入可能な断面非円形状の挿入脚部３ｂが形成された立体装飾エレメント１とを、備えている。図３の加湿器には、非円形状の貫通孔６ｂ（図８参照）が形成されると共に差込孔４に取着される保持蓋６を設け、使用状態に於て、保持蓋６の貫通孔６ｂに挿入脚部３ｂを挿入して立体装飾エレメント１の姿勢を保つように構成されている。
図３では、立体装飾エレメント１は、所定の形状に打ち抜いた複数枚の吸水性不織布を相互に差し込んで組み立てられ、組立状態で、立体的なハートを模した形状に形成されている。以下、図３に示す加湿器を、ハート型とする。
【００１４】
図５の使用状態に於て、立体装飾エレメント１は、上下方向に連通する複数の空気流通路７が形成されている。立体装飾エレメント１は、全体が平面視格子状に形成され、従って、挿入脚部３ｂは、十字形状乃至格子状に形成される。保持蓋６には、挿入脚部３ｂに対応して十字形状の貫通孔６ｂ（図８参照）が形成されている。なお、挿入脚部３ｂは井の字状であっても良く、これに対応して貫通孔６ｂが井の字形状に形成されていても良い（図９（ｃ）参照）。
なおかつ、図６に示すように、未使用状態では、断面略一文字状に重ねられるように構成されている。
立体装飾エレメント１は、複数枚の吸水性不織布が係合し合うことによって、水を含んだ状態でも姿勢を保持できる程度の剛性を有し、自立した状態を維持している。また、平面視で格子状となり複数の空気流通路７が形成されることで、複数枚の吸水性不織布が相互に間隔を保って、空気に触れる面積を広くし、挿入脚部３ｂから毛細管現象によって吸い上げた水を自然に蒸発させて、周囲の空気を加湿している。
さらに、未使用状態では、空気流通路７を菱形に変形させるようにして複数枚の吸水性不織布を重ね合わせ、薄い積層体として携帯が可能であり、流通経路における梱包を容易とし、取り扱いが便利となる。
【００１５】
上述した本発明の加湿器の使用方法（作用）について説明する。
図１〜図３に示すように、水Ｗを入れた水容器２に、立体装飾エレメント１を立てて飾りつける。本発明の加湿器は、立体装飾エレメント１が３次元立体構造に形成され、デザイン性が高く、室内空間を飾るインテリアとして、例えば、自宅のリビングや、オフィス、美術館・博物館・展示会場等に設置して使用できる。立体装飾エレメント１は、挿入脚部３ａ（３ｂ）を保持蓋６の貫通孔６ａ（６ｂ）に挿入して差込孔４に差込まれ、安定して立姿勢を保つ。この際、図１のメリーゴーランド型、及び、図２のフレイム型の加湿器では、放射形状の挿入脚部３ａが貫通孔６ａに嵌込まれて、立体装飾エレメント１の外周側の山折り状端部が、等しく間隔を開けて立体的姿勢を保持する。立体装飾エレメント１は、挿入脚部３ａ（３ｂ）の下部を水に浸けて、毛細管現象によって、全体に水を吸い上げる。立体装飾エレメント１の山折り状端部の相互間には、上下方向の空気流通路７が形成され、流れを遮ることなくスムーズに空気を流通させて、周囲の空気の湿度に応じて吸い上げた水を蒸発させる。
【００１６】
また、図３のハート型の加湿器に於ては、十字状乃至格子状の挿入脚部３ａが貫通孔６ａに嵌込まれて、空気流通路７を平面視正方形状として立体装飾エレメント１の姿勢を（平面視格子状に）保持する（図５参照）。格子状に保持された立体装飾エレメント１には、上下方向に連通状の空気流通路７が形成され、流れを遮ることなくスムーズに空気を流通させて、周囲の空気の湿度に応じて吸い上げた水を蒸発させる。
なお、本発明の加湿器は、立体装飾エレメント１に含ませた水を自然蒸発させるため、周囲の空気が乾燥している時は、立体装飾エレメント１に染み込んだ水が多く蒸発し、周囲の空気が湿度が高くジメジメしている時は、立体装飾エレメント１から水はほとんど蒸発しない。即ち、周囲の空気の湿度に応じて、自然加湿を行って、室内空間に良好な環境を作り出す。このようにして、本発明の加湿器は、ウィルスの拡散抑制や、ドライアイの防止、絵画、美術品、陶器・磁器、骨董品、木製品を乾燥から保護するのに役立つ。しかも、保持蓋６が差込孔４に取付けられているため、水容器２が不意に倒れてしまった場合であっても、水が外部に溢れにくく、オフィスでパソコンや重要書類の近くに置いた際、又は、貴重な絵画や美術品等の近くに設置した場合であっても、安心して使用することができる。
【００１７】
なお、図９に示すように、保持蓋６は、立体装飾エレメント１の挿入脚部３ａ（３ｂ）が一文字状であれば、これに対応して貫通孔６ａ（６ｂ）が長穴状に形成されていても良く、又は、八方放射形状に形成するも好ましい。あるいは、挿入脚部３ｂが井の字状である場合には、これに対応して貫通孔６ｂが井の字形状に形成されていても良い。
このように、保持蓋６は、予め、複数種類のものが用意され、使用する立体装飾エレメント１の挿入脚部３ａ（３ｂ）の形状に応じて、交換自在に付け替えて使用することが可能である。この構成によれば、保持蓋６は、形状の異なる挿入脚部３ａ（３ｂ）を有する２種以上の立体装飾エレメント１に対応させることが可能であり、設置する場所の雰囲気や、使用者の気分によって複数種類の中から好きなデザインの立体装飾エレメント１を選択して使用することができる。
【００１８】
次に、本発明の加湿器の他の実施形態について説明する。
図１０では、飲料容器としてのペットボトルを再利用して水容器２とし、飲み口を差込孔４として、保持蓋６を取り付けている。図１０に示す使用状態では、立体装飾エレメント１の挿入脚部３ｂを、保持蓋６に形成された非円形状の貫通孔６ｂに挿入して、挿入脚部３ｂの下部を水Ｗに浸けて、毛細管現象によって、水を吸い上げている。保持蓋６の貫通孔６ｂに挿入脚部３ｂが挿入されて、立体装飾エレメント１の姿勢が保たれている。
図１０では、立体装飾エレメント１は、所定の形状に打ち抜いた複数枚の吸水性不織布を相互に差し込んで組み立てると立体的な動物を模した形状に形成される。以下、図１０に示す加湿器を、アニマル型とする。なお、立体装飾エレメント１は、平面視格子状に形成されている。水容器２として飲料容器としての役目を終えたペットボトルを再利用すれば、石油資源を節約でき、かつ、環境保全にも貢献できる。
【００１９】
図１１に示すように、保持蓋６は、上方突出状の凸部１９をもって非円形状の貫通孔６ｂを形成し、かつ、内周面に複数の小突起１２，１２，１２を突設している。小突起１２，１２，１２は、水容器２（ペットボトル）の差込孔４の外周面に形成されたキャップ用の螺旋溝１４に係合し、保持蓋６を水容器２に固着している。なお、小突起１２は、保持蓋６の内周面の４箇所に突設するのが好ましい。
図１２の平面図では、保持蓋６の貫通孔６ｂが長穴状に形成されている図を例示している。なお、保持蓋６の貫通孔６ｂは、放射形状、十字形状、又は、井の字形状であって良いものとする。
【００２０】
また、図１３に示すように、保持蓋６は、下方陥没状の凹部２０をもって非円形状の貫通孔６ｂを形成したものであって良い。保持蓋６は、内周面に複数の小突起１２，１２，１２を突設し、水容器２（ペットボトル）の差込孔４の外周面に形成されたキャップ用の螺旋溝１４に係合して固着されている。
図１４では、保持蓋６に、形状の異なる貫通孔６ｂを有する２種以上のプレート２１，２１を、交換自在に取着するように構成している。この構成によれば、形状の異なる挿入脚部３ｂを有する２種以上の立体装飾エレメント１に、保持蓋６の貫通孔６ｂを容易に対応させて、設置する場所の雰囲気や、使用者の気分によって複数種類の中から好きなデザインの立体装飾エレメント１を選択して使用することができる。
また、図１５と図１６に示すように、保持蓋６に対し、貫通孔６ｂを有する嵌め込みプレート２２を嵌着可能とするも好ましい。嵌め込みプレート２２は、外周縁部の２箇所に羽根部２２Ａ，２２Ａが形成され、保持蓋６に、羽根部２２Ａ，２２Ａが嵌め込まれる嵌着孔１８，１８が形成されている。嵌め込みプレート２２は、保持蓋６に上方から押し込むと、羽根部２２Ａ，２２Ａが弾性変形しつつ嵌着孔１８，１８にパチンと音を立てて嵌着され、逆に、上方から押し上げると、（パチンと）容易に取り外すことが可能である。
【００２１】
なお、本発明の加湿器に於て、立体装飾エレメント１は、図１〜図３、及び図１０に示した４つの実施形態の他、任意の設計変更が可能であって、例えば、動物・人物・植物・建物等を模した３次元立体構造に形成するも望ましい。また、水容器２は、コップやマグカップを利用しても良い。
【００２２】
以上のように、本発明に係る加湿器は、上方開口状の差込孔４を有する水容器２と、吸水性不織布を複数回にわたって折畳んで構成され差込孔４に挿入可能な断面放射形状の挿入脚部３ａが形成された立体装飾エレメント１とを、備え、放射形状の貫通孔６ａが形成されると共に差込孔４に取着される保持蓋６を設け、使用状態に於て、保持蓋６の貫通孔６ａに挿入脚部３ａを挿入して立体装飾エレメント１の姿勢を保つように構成されたので、水容器２に立体装飾エレメント１を安定姿勢で立てて飾ることができる。立体装飾エレメント１のデザインのバリエーションが多くなって外観上美しく飾ることができ、かつ、立体装飾エレメント１の剛性が向上して確実に立姿勢を保つことができる。立体装飾エレメント１の山折り状端部が等しく間隔を空けて立体的姿勢を保ち、確実に空気に触れて水をよく蒸発させることができる。家庭やオフィスの景観を良くするインテリアとして使用することができ、部屋の湿度に応じて適度な加湿を行うことができる。しかも、水容器２が倒れてしまった場合であっても、水がこぼれにくい。電源が不要であるため、電気エネルギーを節約でき、環境保全に貢献できる。家庭やオフィスに設置すれば、肌の乾燥を防止すると共にウィルスの拡散を抑制し、かつ、ドライアイを予防でき、また、美術館・博物館・展示会場等に於て、絵画、美術品、陶器・磁器、骨董品、木製品を乾燥から保護すると共に、適度な湿度を保つことができる。
【００２３】
また、上方開口状の差込孔４を有する水容器２と、複数枚の吸水性不織布を平面視格子状に組立てて構成され差込孔４に挿入可能な断面非円形状の挿入脚部３ｂが形成された立体装飾エレメント１とを、備え、非円形状の貫通孔６ｂが形成されると共に差込孔４に取着される保持蓋６を設け、使用状態に於て、保持蓋６の貫通孔６ｂに挿入脚部３ｂを挿入して立体装飾エレメント１の姿勢を保つように構成されたので、水容器２に立体装飾エレメント１を安定姿勢で立てて飾ることができる。立体装飾エレメント１のデザインのバリエーションが多くなって外観上美しく飾ることができ、かつ、立体装飾エレメント１の剛性が向上して確実に立姿勢を保つことができる。立体装飾エレメント１が立体的姿勢を保ち、確実に空気に触れて水をよく蒸発させることができる。家庭やオフィスの景観を良くするインテリアとして使用することができ、部屋の湿度に応じて適度な加湿を行うことができる。しかも、水容器が倒れてしまった場合であっても、水がこぼれにくい。電源が不要であるため、電気エネルギーを節約でき、環境保全に貢献できる。家庭やオフィスに設置すれば、肌の乾燥を防止すると共にウィルスの拡散を抑制し、かつ、ドライアイを予防でき、また、美術館・博物館・展示会場等に於て、絵画、美術品、陶器・磁器、骨董品、木製品を乾燥から保護すると共に、適度な湿度を保つことができる。
【００２４】
また、立体装飾エレメント１は、使用状態に於て、上下方向に連通する複数の空気流通路７が形成され、かつ、未使用状態では、断面略一文字状に重ねられるように構成されているので、立体装飾エレメント１が空気に触れる面積を広くし、吸い上げた水を確実に蒸発させて、周囲の空気を適度に加湿することができ、かつ、未使用時には薄い積層体として携帯でき、流通経路における梱包が容易である。
【符号の説明】
【００２５】
１  立体装飾エレメント
２  水容器
３ａ，３ｂ  挿入脚部
４  差込孔
６  保持蓋
６ａ，６ｂ  貫通孔
７  空気流通路
【図１】
2014081171.tif 000003
【図２】
2014081171.tif 000004
【図３】
2014081171.tif 000005
【図４】
2014081171.tif 000006
【図５】
2014081171.tif 000007
【図６】
2014081171.tif 000008
【図７】
2014081171.tif 000009
【図８】
2014081171.tif 000010
【図９】
2014081171.tif 000011
【図１０】
2014081171.tif 000012
【図１１】
2014081171.tif 000013
【図１２】
2014081171.tif 000014
【図１３】
2014081171.tif 000015
【図１４】
2014081171.tif 000016
【図１５】
2014081171.tif 000017
【図１６】
2014081171.tif 000018